(57)【要約】【課題】待機状態時に動作する部品に電源を供給する蓄電部の電圧が低くなっても、待機状態から動作状態に移行させることが可能な電子機器を提供すること。【解決手段】実施形態によれば、電子機器は、第１の面側に設けられ、操作に応じて動作状態と待機状態との間を切り替えるための電源ボタンと、外部電源が入力される電源回路と、外部電源から電源回路への経路を開閉する開閉手段と、本体の第２の面側に設けられ、開閉手段に対して並列接続された復帰スイッチと、電源ボタンの操作に応じて待機状態から動作状態に切り替えられる場合に開閉手段を閉にし、電源ボタンの操作に応じて動作状態から待機状態に切り替えられた場合に開閉手段を閉にする電源制御部と、動作状態時に電源回路から供給される電源によって充電され、開閉手段が閉の状態で、電源制御部を駆動するための電源を供給し、開閉手段を開から閉にするための電源を供給する、蓄電部とを具備する。【選択図】    図５
2013078021.tif 000002
【特許請求の範囲】
【請求項１】
本体と、
前記本体の第１の面側に設けられ、操作に応じて動作状態と待機状態との間を切り替えるための電源ボタンと、
外部電源が入力される電源回路と、
前記外部電源から前記電源回路への経路を開閉する開閉手段と、
前記本体の第２の面側に設けられ、前記開閉手段に対して並列接続された復帰スイッチと、
前記電源ボタンの操作に応じて前記待機状態から前記動作状態に切り替えられる場合に前記開閉手段を閉にし、前記電源ボタンの操作に応じて前記動作状態から前記待機状態に切り替えられた場合に前記開閉手段を閉にする電源制御部と、
前記動作状態時に前記電源回路から供給される電源によって充電され、前記開閉手段が閉の状態で前記電源ボタンの操作に応じて、前記電源制御部を駆動するための電源を供給し、前記リレーを開から閉にするための電源を供給する、蓄電部と、
を具備する電子機器。
【請求項２】
前記動作状態と前記待機状態との間を切り替えるための信号を受信する受信部をさらに具備し、
前記電源制御部は、前記信号の受信に応じて前記動作状態から前記待機状態に切り替える場合に前記開閉手段を開にし、前記信号の受信に応じて前記待機状態から前記動作状態に切り替える場合に前記開閉手段を閉にする
請求項１に記載の電子機器。
【請求項３】
前記復帰スイッチは、常時オン状態にする常時オン手段を具備する
請求項１に記載の電子機器。
【請求項４】
前記蓄電部は、前記電源制御部を駆動するための電源を供給する第１の蓄電部と、前記リレーを開から閉にするための電源を供給する第２の蓄電部を具備する
請求項１に記載の電子機器。
【請求項５】
前記蓄電部は、電気二重層コンデンサを具備する
請求項１に記載の電子機器。
【請求項６】
テレビジョン放送信号を受信するチューナをさらに具備する
請求項１に記載の電子機器。
【請求項７】
映像を表示する表示部をさらに具備する
請求項１に記載の電子機器。
【請求項８】
電子機器であって、
前記電子機器を操作するための複数の操作ボタンを有する操作部と、
操作に応じて動作状態と待機状態とを切り替えるための電源ボタンと、
外部電源が入力される電源回路と、
前記外部電源から前記電源回路への経路を開閉する開閉手段と、
前記開閉手段に対して並列接続された復帰スイッチであって、前記複数の操作ボタン内の最も近い距離にある第１のボタンと前記復帰スイッチとの第１の距離は、前記複数の操作ボタン内の前記電源ボタンと最も近い距離にある第２のボタンと前記電源ボタンとの第２の距離より長い、復帰スイッチと、
前記電源ボタンの操作に応じて前記待機状態から前記動作状態に切り替えられる場合に前記開閉手段を閉にし、前記電源ボタンの操作に応じて前記動作状態から前記待機状態に切り替えられる場合に前記開閉手段を開にする電源制御部と、
前記動作状態時に前記電源回路から供給される電源によって充電され、前記開閉手段が開の状態で、前記電源制御部を駆動するための電源を供給し、前記開閉手段を開から閉にするための電源を供給する、蓄電部と、
を具備する電子機器。
【請求項９】
前記動作状態と前記待機状態との間を切り替えるための信号を受信する受信部をさらに具備し、
前記電源制御部は、前記信号の受信に応じて前記動作状態から前記待機状態に切り替える場合に前記開閉手段を開にし、前記信号の受信に応じて前記待機状態から前記動作状態に切り替える場合に前記開閉手段を閉にする
請求項８に記載の電子機器。
【請求項１０】
前記復帰スイッチは、常時オン状態にする常時オン手段を具備する
請求項８に記載の電子機器。
【請求項１１】
前記蓄電部は、前記電源制御部を駆動するための電源を供給する第１の蓄電部と、前記開閉手段を開から閉にするための電源を供給する第２の蓄電部を具備する
請求項８に記載の電子機器。
【請求項１２】
前記蓄電部は、電気二重層コンデンサを具備する
請求項８に記載の電子機器。
【請求項１３】
テレビジョン放送信号を受信するチューナをさらに具備する
請求項８に記載の電子機器。
【請求項１４】
映像を表示する表示部をさらに具備する
請求項８に記載の電子機器。
【発明の詳細な説明】
【技術分野】
【０００１】
本発明の実施形態は、待機電力の低減を図った電子機器に関する。
【背景技術】
【０００２】
現在、家電製品の待機電力を低くするために、例えば待機時に動作する部品にバッテリやキャパシタ等の蓄電部から電源を供給することが考えられている。蓄電部の低くなると、待機状態から動作状態に移行させることが出来ない場合がある。
【先行技術文献】
【特許文献】
【０００３】
【特許文献１】特開２０００−１９５３９８号公報
【発明の概要】
【発明が解決しようとする課題】
【０００４】
待機状態時に動作する部品に電源を供給する蓄電部の電圧が低くなると、待機状態から動作状態に移行させることが出来ない場合がある。
【０００５】
本発明の目的は、待機状態時に動作する部品に電源を供給する蓄電部の電圧が低くなっても、待機状態から動作状態に移行させることが可能な電子機器を提供することにある。
【課題を解決するための手段】
【０００６】
実施形態によれば、電子機器は、本体と、電源ボタンと、電源回路と、開閉手段と、復帰スイッチと、電源制御部と、蓄電部とを具備する。電源ボタンは、前記本体の第１の面側に設けられ、操作に応じて動作状態と待機状態との間を切り替えるために設けられている。電源回路には、外部電源が入力される。開閉手段は、前記外部電源から前記電源回路への経路を開閉する。復帰スイッチは、前記本体の第２の面側に設けられ、前記開閉手段に対して並列接続されている。電源制御部は、前記電源ボタンの操作に応じて前記待機状態から前記動作状態に切り替えられる場合に前記開閉手段を閉にし、前記電源ボタンの操作に応じて前記動作状態から前記待機状態に切り替えられた場合に前記開閉手段を閉にする。蓄電部は、前記動作状態時に前記電源回路から供給される電源によって充電され、前記開閉手段が閉の状態で前記電源ボタンの操作に応じて、前記電源制御部を駆動するための電源を供給し、前記リレーを開から閉にするための電源を供給する。
【図面の簡単な説明】
【０００７】
【図１】実施形態の電子機器の外観を示す図である。
【図２】実施形態の電子機器の外観を示す図である。
【図３】実施形態の電子機器の外観を示す図である。
【図４】実施形態の電子機器のシステム構成を示すブロック図である。
【図５】図４に示す電子機器の電源制御部の構成を示すブロック図である。
【図６】プリント配線基板の配置例を示す図である。
【図７】主電源ボタンが操作されることによって、第１の待機状態に移行する場合の処理の手順を示すフローチャート。
【図８】リモートコントローラに設けられた電源ボタンが操作されることによって、第１の待機状態に移行する場合の処理の手順を示すフローチャート。
【図９】変形例の電子機器の外観を示す図である。
【図１０】変形例の電子機器のプリント配線基板の配置例を示す図である。
【発明を実施するための形態】
【０００８】
以下、実施の形態について図面を参照して説明する。  
まず、図１〜図６を参照して、一実施形態に係る電子機器の構成を説明する。本実施形態の電子機器は、例えば、テレビジョン受像装置１００から実現されている。
【０００９】
図１、図２、図３は、一実施形態に係わるテレビジョン受像装置１００の外観を示す図である。  
図１に示すように、テレビジョン受像装置１００は、スタンド１０２に支持された本体１０１を有する。本体１０１にはＬＣＤ（Liquid Crystal Display）４００、電源表示ＬＥＤ１０３、第１の受光部１６２、および第２の受光部１９１等が設けられている。
【００１０】
また、図２に示すように、本体１０１の左側面には、主電源ボタン１８７、チャンネルアップボタン２０２Ａ、チャンネルダウンボタン２０２Ｂ、音量アップボタン２０３Ａ、音量ダウンボタン２０３Ｂ、入力切替ボタン２０４、および放送切替ボタン２０５等が設けられている。  
主電源ボタン１８７は、動作状態と第１の待機状態との間を切り替えるために設けられている。チャンネルアップボタン２０２Ａおよびチャンネルダウンボタン２０２Ｂは、チャンネルを切り替えるために設けられている。音量アップボタン２０３Ａおよび音量ダウンボタン２０３Ｂは、音量を調節するために設けられている。入力切替ボタン２０４は、入力を切り替えるために設けられている。放送切替ボタン２０５は、放送の種類を切り替えるために設けられている。なお、以下では、チャンネルアップボタン２０２Ａ、チャンネルダウンボタン２０２Ｂ、音量アップボタン２０３Ａ、音量ダウンボタン２０３Ｂ、入力切替ボタン２０４、および放送切替ボタン２０５をまとめて操作ボタン部２００と呼ぶこともある。
【００１１】
また、図３に示すように、本体１０１の右側面には、後述する復帰スイッチ１８８が設けられている。復帰スイッチ１８８は、押している場合にオン、押されていない場合にオフとなるプッシュスイッチである。復帰スイッチ１８８を押した後に、復帰スイッチ１８８を時計方向に回すと押した状態が保持され、常時オンになる。
【００１２】
なお、主電源ボタン１８７と復帰スイッチ１８８とは本体１０１の異なる面に設けられていることによって、主電源ボタン１８７と復帰スイッチ１８８を間違えて操作することを防止することが可能になる。
【００１３】
次に、図４を参照して、テレビジョン受像装置１００のシステム構成を説明する。なお、本実施形態では、テレビジョン受像装置１００は、コンテンツに基づいて映像を液晶表示装置に表示させるものと仮定して説明する。
【００１４】
テレビジョン受像装置１００は、放送入力端子１１０、チューナ１１１、復調部１１２、信号処理部１１３、通信インターフェース１１４、音声処理部１２１、音声出力端子１２２、環境音入力端子１２４、映像処理部１３１、ＯＳＤ処理部１３２、表示処理部１３３、映像出力端子１３５、制御部１５０、操作入力部１６１、第１の受光部１６２、カードコネクタ１６４、ＵＳＢコネクタ１６６、ディスクドライブ１７０、電源制御部１８０、および第１の受光部１６２等を備える。
【００１５】
放送入力端子１１０は、例えばアンテナ１１０により受信されるディジタル放送信号が入力される入力端子である。アンテナ１１０は、例えば、地上ディジタル放送信号、ＢＳ（ｂｒｏａｄｃａｓｔｉｎｇ  ｓａｔｅｌｌｉｔｅ）ディジタル放送信号、及び／または、１１０度ＣＳ（ｃｏｍｍｕｎｉｃａｔｉｏｎ  ｓａｔｅｌｌｉｔｅ）ディジタル放送信号を受信する。即ち、放送入力端子１１０には、放送信号により供給される番組などのコンテンツが入力される。
【００１６】
放送入力端子１１０は、受信したディジタルテレビジョン放送信号をチューナ１１１に供給する。チューナ１１１は、ディジタルテレビジョン放送信号用のチューナである。チューナ１１１は、アンテナ１１０から供給されるディジタルテレビジョン放送信号のチューニング（選局）を行う。チューナ１１１は、チューニングしたディジタルテレビジョン放送信号を復調部１１２に送信する。
【００１７】
復調部１１２は、受信するディジタルテレビジョン放送信号の復調を行う。復調部１１２は、復調したディジタルテレビジョン放送信号（コンテンツ）を信号処理部１１３に入力する。即ち、アンテナ１１０、チューナ１１１、及び復調部１１２は、コンテンツを受信する受信手段として機能する。
【００１８】
信号処理部１１３は、ディジタルテレビジョン放送信号（動画のコンテンツデータ）に対して信号処理を施す信号処理手段として機能する。信号処理部１１３は、復調部１１２から供給されるディジタルテレビジョン放送信号に、信号処理を施す。即ち、信号処理部１１３は、ディジタルテレビジョン放送信号を映像信号、音声信号、及びその他のデータ信号に分離する。信号処理部１１３は、音声処理部１２１に音声信号を供給する。また、信号処理部１１３は、映像処理部１３１に映像信号を供給する。さらに、信号処理部１１３は、制御部１５０、及び／またはＯＳＤ処理部１３２にデータ信号を供給する。
【００１９】
通信インターフェース１１４は、例えばＨＤＭＩ（High Definition Multimedia Interface）（登録商標）端子などの、コンテンツを受信可能なインターフェースを備える。通信インターフェース１１４は、ディジタル映像信号、及びディジタル音声信号などが多重化されたコンテンツを他の機器から受信する。通信インターフェース１１４は、他の機器から受信したディジタル信号（コンテンツ）を信号処理部１１３に供給する。即ち、通信インターフェース１１４は、コンテンツを受信する受信手段として機能する。
【００２０】
信号処理部１１３は、通信インターフェース１１４から受信するディジタル信号に信号処理を施す。例えば、信号処理部１１３は、ディジタル信号をディジタル映像信号とディジタル音声信号とデータ信号とに分離する。信号処理部１１３は、音声処理部１２１にディジタル音声信号を供給する。また、信号処理部１１３は、映像処理部１３１にディジタル映像信号を供給する。さらに、信号処理部１１３は、制御部１５０、及び／またはＯＳＤ処理部１３２にデータ信号を供給する。
【００２１】
なお、信号処理部１１３は、通信インターフェース１１４に入力されるコンテンツと、放送入力端子１１０に入力されるコンテンツとのいずれかを選択し、処理を行う。即ち、信号処理部１１３は、ディジタルテレビジョン放送信号とディジタル信号のいずれかに対して信号の分離処理を行う。
【００２２】
音声処理部１２１は、信号処理部１１３から受信したディジタル音声信号を、スピーカ３００により再生可能なフォーマットの信号（オーディオ信号）に変換する。音声処理部１２１は、オーディオ信号を音声出力端子１２２に出力する。音声出力端子１２２は、供給されるオーディオ信号を装置外部に出力する。これにより、音声出力端子１２２に接続されるスピーカ３００は、供給されるオーディオ信号に基づいて音を再生する。
【００２３】
映像処理部１３１は、信号処理部１１３から受信した映像信号を、ディスプレイ４００で再生可能なフォーマットの映像信号に変換する。即ち、映像処理部１３１は、信号処理部１１３から受信した映像信号を、ディスプレイ４００で再生可能なフォーマットの映像信号にデコード（再生）する。また、映像処理部１３１は、ＯＳＤ処理部１３２から供給されるＯＳＤ信号を映像信号に重畳する。映像処理部１３１は、映像信号を表示処理部１３３に出力する。
【００２４】
ＯＳＤ処理部１３２は、信号処理部１１３から供給されるデータ信号、及び／または制御部１５０から供給される制御信号に基づいて、ＧＵＩ（グラフィック  ユーザ  インタフェース）画面、字幕、時刻、または他の情報などを画面に重畳して表示する為のＯＳＤ信号を生成する。
【００２５】
表示処理部１３３は、例えば、制御部１５０からの制御に基づいて、受信した映像信号に対して色味、明るさ、シャープ、コントラスト、またはその他の画質調整処理を行う。表示処理部１３３は、画質調整を施した映像信号を映像出力端子１３５に出力する。これにより、映像出力端子１３５に接続されるディスプレイ４００は、供給される映像信号に基づいて映像を表示する。
【００２６】
ディスプレイ４００は、例えば、マトリクス状に配列された複数の画素を備える液晶表示パネルと、この液晶パネルを照明するバックライトとを備える液晶表示装置などを備える。ディスプレイ４００は、テレビジョン受像装置１００から供給される映像信号に基づいて映像を表示する。
【００２７】
制御部１５０は、テレビジョン受像装置１００の各部の動作を制御する制御手段として機能する。制御部１５０は、ＣＰＵ１５１、ＲＯＭ１５２、ＲＡＭ１５３、及びＥＥＰＲＯＭ１５４などを備えている。制御部１５０は、操作入力部１６１から供給される操作信号に基づいて、種々の処理を行う。
【００２８】
ＣＰＵ１５１は、種々の演算処理を実行する演算素子などを備える。ＣＰＵ１５１は、ＲＯＭ１５２、またはＥＥＰＲＯＭ１５４などに記憶されているプログラムを実行することにより種々の機能を実現する。
【００２９】
ＲＯＭ１５２は、テレビジョン受像装置１００を制御する為のプログラム、及び各種の機能を実現する為のプログラムなどを記憶する。ＣＰＵ１５１は、操作入力部１６１から供給される操作信号に基づいて、ＲＯＭ１５２に記憶されているプログラムを起動する。これにより、制御部１５０は、各部の動作を制御する。
【００３０】
ＲＡＭ１５３は、ＣＰＵ１５１のワークメモリとして機能する。即ち、ＲＡＭ１５３は、ＣＰＵ１５１の演算結果、ＣＰＵ１５１により読み込まれたデータなどを記憶する。
【００３１】
ＥＥＰＲＯＭ１５４は、各種の設定情報、及びプログラムなどを記憶する不揮発性メモリである。
【００３２】
操作ボタン部２００は、操作入力に応じた操作信号を生成する。操作ボタン部２００は、生成した操作信号を制御部１５０に供給する。
【００３３】
第１の受光部１６２および第２の受光部１９１は、例えば、リモートコントローラ１６３からの操作信号を受信するセンサなどを備える。第１の受光部１６２第２の受光部１９１は、受信した操作信号を制御部１５０に供給する。リモートコントローラ１６３は、ユーザの操作入力に基づいて操作信号を生成する。リモートコントローラ１６３は、生成した操作信号を赤外線通信により第１の受光部１６２および第２の受光部１９１に送信する。なお、第１の受光部１６２、第２の受光部１９１、及びリモートコントローラ１６３は、電波などの他の無線通信により操作信号の送受信を行う構成であってもよい。
【００３４】
カードコネクタ１６４は、例えば、動画コンテンツを記憶するメモリカード１６５と通信を行う為のインターフェースである。カードコネクタ１６４は、接続されるメモリカード１６５から動画のコンテンツデータを読み出し、制御部１５０に供給する。
【００３５】
ＵＳＢコネクタ１６６は、ＵＳＢ機器１６７と通信を行う為のインターフェースである。ＵＳＢコネクタ１６６は、接続されるＵＳＢ機器１６７から供給される信号を制御部１５０に供給する。
【００３６】
例えば、ＵＳＢ機器１６７がキーボードなどの操作入力機器である場合、ＵＳＢコネクタ１６６は、操作信号をＵＳＢ機器１６７から受け取る。ＵＳＢコネクタ１６６は、受け取った操作信号を制御部１５０に供給する。この場合、制御部１５０は、ＵＳＢコネクタ１６６から供給される操作信号に基づいて種々の処理を実行する。
【００３７】
また、例えば、ＵＳＢ機器１６７が動画のコンテンツデータを記憶する記憶装置である場合、ＵＳＢコネクタ１６６は、コンテンツをＵＳＢ機器１６７から取得することができる。ＵＳＢコネクタ１６６は、取得したコンテンツを制御部１５０に供給する。
【００３８】
ディスクドライブ１７０は、例えば、コンパクトディスク（ＣＤ）、ディジタルバーサタイルディスク（ＤＶＤ）、ブルーレイディスク（Ｂｌｕ−ｒａｙ  Ｄｉｓｋ（登録商標））、または動画のコンテンツデータを記録可能な他の光ディスクＭを装着可能なドライブを有する。ディスクドライブ１７０は、装着される光ディスクＭからコンテンツを読み出し、読み出したコンテンツを制御部１５０に供給する。
【００３９】
また、テレビジョン受像装置１００は、電源制御部１８０を備える。交流電源供給源５００から交流電源が供給され、電源制御部１８０は、テレビジョン受像装置１００の各部に電力を供給する。電源制御部１８０は、交流電源を直流電源に変換し、変換された直流電源を各部へ供給する。
【００４０】
また、テレビジョン受像装置１００は、さらに他のインターフェースを備えていても良い。インターフェースは、例えば、Ｓｅｒｉａｌ−ＡＴＡ、ＬＡＮポートなどである。テレビジョン受像装置１００は、インターフェースにより接続される機器に記録されているコンテンツを取得し、再生することができる。また、テレビジョン受像装置１００は、再生したオーディオ信号及び映像信号を、インターフェースにより接続される機器に出力することが出来る。
【００４１】
また、テレビジョン受像装置１００がインターフェースを介してネットワークに接続される場合、テレビジョン受像装置１００は、ネットワーク上の動画のコンテンツデータを取得し、再生することができる。
【００４２】
またさらに、テレビジョン受像装置１００は、ハードディスク（ＨＤＤ）、ソリッドステイトディスク（ＳＳＤ）、または半導体メモリなどの記憶装置を備えていても良い。この記憶装置が動画のコンテンツデータを記憶する場合、テレビジョン受像装置１００は、この記憶装置に記憶されているコンテンツを読み出し、再生することが出来る。また、テレビジョン受像装置１００は、この記憶装置に例えばテレビジョン放送信号、またはネットワークなどにより供給されるコンテンツを記憶することができる。
【００４３】
テレビジョン受像装置１００は、主電源ボタン１８７、リモートコントローラ１６３の操作に応じて、動作状態と第１の待機状態とを切り替えることが出来る。
【００４４】
第１の待機状態では、第１の電源回路１８２および第２の電源回路１８６から直流電源が出力されない。第１の待機状態では、第１の受光部１６２に電源が供給されず、第２の受光部１９１に電源が供給され、リモートコントローラ１６３の操作でテレビジョン受像装置１００を動作状態にすることが可能である。
【００４５】
なお、動作状態から第１の待機状態に移行するのではない。動作状態から第２の待機状態を経て、第１の待機状態に移行する。第２の待機状態では、第１の電源回路１８２から直流電源が出力され、第２の電源回路１８６から直流電源が出力されない。
【００４６】
動作状態で、リモートコントローラ１６３に設けられた電源ボタンを操作することで、本装置は第１の待機状態に移行する。第１の待機状態では、リモートコントローラ１６３に設けられた電源ボタンの操作によって動作状態にすることができる。第１の待機状態では、後述するキャパシタから電源制御ＩＣ１９２等に電力が供給されている。待機状態では、消費電力をほぼ０にすることが可能である。
【００４７】
図５のブロック図を参照して、電源を制御する構成について説明する。  
電源制御部１８０は、ラッチングリレー１８１、第１の電源回路１８２、キャパシタ１８４Ａ、キャパシタ１８４Ｂ、ＰＦＣ（Power factor correction）回路１８５、第２の電源回路１８６、復帰スイッチ１８８、スイッチ１８９、第２の受光部１９１、および電源制御ＩＣ１９２等を備えている。
【００４８】
ラッチングリレー１８１、キャパシタ１８４Ａ，１８４Ｂ、およびスイッチ１８９は、第１のプリント配線基板５０１に設けられている。第１の電源回路１８２、ＰＦＣ回路１８５、および第２の電源回路１８６は、第２のプリント配線基板５０２に設けられている。映像処理部１３１、制御部１５０、主電源ボタン１８７、および操作ボタン部２００は、第３のプリント配線基板５０３に設けられている。電源制御ＩＣ１９２および第２の受光部１９１は、第４のプリント配線基板５０４に設けられている。第１の受光部１６２は、第５のプリント配線基板５０５に設けられている。
【００４９】
交流電源供給源５００から供給された交流電源は、電源供給ライン１８３を介して、第１の電源回路１８２およびＰＦＣ回路１８５に入力される。電源供給ライン１８３には、ラッチングリレー１８１が挿入されている。ラッチングリレー１８１は、スイッチ１８９のオフ時に開、スイッチ１８９のオン時に閉に制御されるリレーである。復帰スイッチ１８８は、ラッチングリレー１８１に対して、並列接続されている。復帰スイッチ１８８は、プッシュスイッチであり、押圧操作時にオン、非押圧操作時にオフとなる。
【００５０】
第１の電源回路１８２は、入力された交流電源から例えば５Ｖの直流電源を生成する。第１の電源回路１８２は、動作状態時に、制御部１５０および電源制御部１８０および電源制御ＩＣ１９２等に生成された直流電源を供給する。第１の電源回路１８２は、第１の待機状態時に、電源制御部１８０等に生成された直流電源を供給する。第１の電源回路１８２は、第１の待機状態時でキャパシタ１８４Ａ，１８４Ｂに蓄電する場合に、電源制御部１８０および制御部１５０等に生成された直流電源を供給する。なお、キャパシタ１８４Ａ，１８４Ｂは、電気二重層コンデンサを含む。
【００５１】
ＰＦＣ回路１８５は、入力された交流電源の力率を改善し、改善された交流電源を第２の電源回路１８６に出力する。第２の電源回路１８６は、交流電源から例えば１２Ｖの直流電源を生成する。動作状態時に、第２の電源回路１８６は、電源オン時にチューナ１１１、復調部１１２、信号処理部１１３、音声処理部１２１、映像処理部１３１、ＯＳＤ処理部１３２、表示処理部１３３等に直流電源を供給する。
【００５２】
電源制御ＩＣ１９２は、電源制御部１９２Ａ、電圧監視部１９２Ｂ、およびタイマ部１９２Ｃ等を備えている。電源制御部１９２Ａは、主電源ボタン１８７およびリモートコントローラ１６３に設けられた電源ボタンの操作に応じて、スイッチ１８９のオンとオフとの間で切り替える。スイッチ１８９がオンになると、ラッチングリレー１８１に電源が供給され、交流電源が第１の電源回路１８２およびＰＦＣ回路１８５に供給される。スイッチ１８９がオフになると、ラッチングリレー１８１に電源が供給されなくなり、交流電源が第１の電源回路１８２およびＰＦＣ回路１８５に供給されなくなる。
【００５３】
第１の待機状態時、電源制御ＩＣ１９２はキャパシタ１８４Ｂから供給される直流電源によって駆動される。第１の待機状態時、電圧監視部１９２Ｂは、キャパシタ１８４Ａおよびキャパシタ１８４Ｂから供給される直流電源の電圧値を定期的に検出する。検出された電圧値がしきい値より低くなった場合に、電圧監視部１９２Ｂは、タイマ部１９２Ｃにスイッチ１８９のオンを指示する。タイマ部１９２Ｃは、スイッチ１８９をオンにする。スイッチ１８９がオンになることで、ラッチングリレー１８１が閉となる。ラッチングリレー１８１が閉になることで、キャパシタ１８４Ａ，１８４Ｂへの電荷の蓄電が開始される。以下では、キャパシタへの電荷の蓄電をキャパシタへの充電ということもある。キャパシタへの充電を開始してから一定時間経過した後に、タイマ部１９２Ｃは、スイッチ１８９をオフにする。スイッチ１８９をオフになることで、ラッチングリレー１８１が開となり、キャパシタ１８４Ａ，１８４Ｂへの充電が終了する。
【００５４】
もし、第１の待機状態時に、キャパシタ１８４Ａ，１８４Ｂが放電しても、復帰スイッチ１８８を閉にすることができなくなっても、復帰スイッチ１８８を押すことによって、第１の電源回路１８２に交流電源を供給することが出来るようになる。第１の電源回路１８２に交流電源が供給されると、第１の電源回路１８２から直流電源が電源制御ＩＣ１９２に供給され、電源制御ＩＣ１９２が動作する。電源制御部１９２Ａは、動作開始時にスイッチ１８９をオンにすることによって、ラッチングリレー１８１を閉にする。そして、電源制御部１９２Ａは、制御部１５０に動作状態への移行を指示する。
【００５５】
図６に示すように、第１のプリント配線基板５０１および第２のプリント配線基板５０２は、背面の左側に設けられている。また、第３のプリント配線基板５０３は、背面の右側に設けられている。第４のプリント配線基板５０４および第５のプリント配線基板５０５は、下部に設けられている。
【００５６】
次に、図７のフローチャートを参照して、主電源ボタン１８７が操作されることによって、第１の待機状態に移行する場合の処理の手順を説明する。
【００５７】
テレビジョン受像装置１００は、動作状態である（ステップＢ７０１）。電源制御ＩＣ１９２および制御部１５０は、主電源ボタン１８７が操作されたかを判定する（ステップＢ７０２）。主電源ボタン１８７が操作されたと判定した場合（ステップＢ７０２のＹｅｓ）、制御部１５０は、ＰＦＣ回路１８５をオフにする（ステップＢ７０３）。ＰＦＣ回路１８５をオフすることによって、第２の電源回路１８６から直流電源が供給されなくなり、第３の待機状態に移行する（ステップＢ７０４）。
【００５８】
電源制御ＩＣ１９２は、スイッチ１８９をオフにすることで、ラッチングリレー１８１を開にする（ステップＢ７０５）。ラッチングリレー１８１を開になることで、第１の電源回路１８２から制御部１５０および電源制御ＩＣ１９２に直流電源が供給されなくなる。電源制御ＩＣ１９２は、第２の受光部１９１の電源の供給を停止することで、テレビジョン受像装置１００は第１の待機状態に移行する（ステップＢ７０６）。
【００５９】
電圧監視部１９２Ｂは、キャパシタ１８４Ａ，１８４Ｂから出力される電圧値を定期的に測定する。電圧値を測定する度に、電圧監視部１９２Ｂは、測定された電圧値がしきい値より低いかを判定する（ステップＢ７０７）。電圧値がしきい値より低いと判定した場合（ステップＢ７０７のＹｅｓ）、電圧監視部１９２Ｂは、タイマ部１９２Ｃに充電の開始を指示する。タイマ部１９２Ｃは、スイッチ１８９をオンにすることで、ラッチングリレーを閉にして、キャパシタ１８４Ａ，１８４Ｂに対する充電を開始する（ステップＢ７０８）。タイマ部１９２Ｃは、充電を開始してから設定時間が経過したかを定期的に判定する（ステップＢ７０９）。設定時間が経過したと判定した場合（ステップＢ７０９のＹｅｓ）、タイマ部１９２Ｃは、スイッチ１８９をオフにすることで、ラッチングリレーを開にして、キャパシタ１８４Ａ，１８４Ｂに対する充電を停止する（ステップＢ７１０）。
【００６０】
次に、図８のフローチャートを参照して、リモートコントローラ１６３に設けられた電源ボタンが操作されることによって、第１の待機状態に移行する場合の処理の手順を説明する。
【００６１】
テレビジョン受像装置１００は、動作状態である（ステップＢ８０１）。電源制御ＩＣ１９２および制御部１５０は、リモートコントローラ１６３に設けられた電源ボタンによって送信された信号を受信したかを判定する（ステップＢ８０２）。信号を受信したと判定した場合（ステップＢ８０２のＹｅｓ）、制御部１５０は、ＰＦＣ回路１８５をオフにする（ステップＢ８０３）。ＰＦＣ回路１８５をオフすることによって、第２の電源回路１８６から直流電源が供給されなくなり、第２の待機状態に移行する（ステップＢ８０４）。
【００６２】
電源制御ＩＣ１９２は、スイッチ１８９をオフにすることで、ラッチングリレー１８１を開にする（ステップＢ８０５）。ラッチングリレー１８１を開になることで、第１の電源回路１８２から制御部１５０および電源制御ＩＣ１９２に直流電源が供給されなくなることで、テレビジョン受像装置１００は第１の待機状態に移行する（ステップＢ８０６）。
【００６３】
電圧監視部１９２Ｂは、キャパシタ１８４Ａ，１８４Ｂから出力される電圧値を定期的に測定する。電圧値を測定する度に、電圧監視部１９２Ｂは、測定された電圧値がしきい値より低いかを判定する（ステップＢ８０７）。電圧値がしきい値より低いと判定した場合（ステップＢ８０７のＹｅｓ）、電圧監視部１９２Ｂは、タイマ部１９２Ｃに充電の開始を指示する。タイマ部１９２Ｃは、スイッチ１８９をオンにすることで、ラッチングリレーを閉にして、キャパシタ１８４Ａ，１８４Ｂに対する充電を開始する（ステップＢ８０８）。タイマ部１９２Ｃは、充電を開始してから設定時間が経過したかを定期的に判定する（ステップＢ８０９）。設定時間が経過したと判定した場合（ステップＢ８０９のＹｅｓ）、タイマ部１９２Ｃは、スイッチ１８９をオフにすることで、ラッチングリレーを開にして、キャパシタ１８４Ａ，１８４Ｂに対する充電を停止する（ステップＢ８１０）。
【００６４】
キャパシタが放電して空およびラッチングリレーが開という状態に陥った場合、復帰スイッチ１８８を操作することによって、一時的に通電させて電源制御ＩＣ１９２を動作させると共にラッチングリレー１８１を閉にさせて動作状態に戻すことが可能になる。また、復帰スイッチ１８８は主電源ボタン１８７とは異なる面に設けることで、誤操作を防止することが可能になる。
【００６５】
なお、図９に示すように、誤動作を防止するために復帰スイッチ１８８を覆うカバー９０１を設ければ、復帰スイッチ１８８と主電源ボタン１８７とを同じ面に設けることも可能である。
【００６６】
図１０に示すように、復帰スイッチ１８８が設けられた第１のプリント配線基板５０１と、主電源ボタン１８７が設けられた第３のプリント配線基板５０３は、背面側から見た右側に配置される。活電部と非活電部の間は３．７ｍｍ以上離すことが法令で決められている。そのため、復帰スイッチ１８８から操作ボタン部２００内の最も近いボタンと復帰スイッチ１８８との距離は、主電源ボタン１８７から操作ボタン部２００内の最も近いボタンと主電源ボタン１８７との距離より長い。
【００６７】
なお、図２，３に示すように、復帰スイッチ１８８は主電源ボタン１８７とは異なる面に設けられていれば、復帰スイッチ１８８から操作ボタン部２００内の最も近いボタンと復帰スイッチ１８８との距離は、主電源ボタン１８７から操作ボタン部２００内の最も近いボタンと主電源ボタン１８７との距離より長い。
【００６８】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００６９】
１００…テレビジョン受像装置、１０１…本体、１１１…チューナ、１５０…制御部、１６２…第１の受光部、１６３…リモートコントローラ、１８０…電源制御部、１８１…ラッチングリレー、１８２…第１の電源回路、１８３…電源供給ライン、１８４Ａ…キャパシタ、１８４Ｂ…キャパシタ、１８４Ａ，１８４Ｂ…キャパシタ、１８５…ＰＦＣ回路、１８６…第２の電源回路、１８７…主電源ボタン、１８８…復帰スイッチ、１８９…スイッチ、１９１…第２の受光部、１９２…電源制御ＩＣ、１９２Ａ…電源制御部、１９２Ｂ…電圧監視部、１９２Ｃ…タイマ部、操作ボタン部２００、４００…ＬＣＤ。
【図１】
2013078021.tif 000003
【図２】
2013078021.tif 000004
【図３】
2013078021.tif 000005
【図４】
2013078021.tif 000006
【図５】
2013078021.tif 000007
【図６】
2013078021.tif 000008
【図７】
2013078021.tif 000009
【図８】
2013078021.tif 000010
【図９】
2013078021.tif 000011
【図１０】
2013078021.tif 000012